【手続補正書】
【提出日】平成20年2月1日(2008.2.1)
【手続補正１】
【補正対象書類名】特許請求の範囲
【補正対象項目名】全文
【補正方法】変更
【補正の内容】
【特許請求の範囲】
【請求項１】
電解洗浄を行う本洗浄前の前洗浄あるいは／および本洗浄後に行う後洗浄で用いる洗浄液であって、ノニオン、カチオンあるいはアニオン系の界面活性剤、メタ珪酸ソーダあるいは／およびオルソ珪酸ソーダ、キレート剤を含むものであることを特徴とする金型洗浄液。
【請求項２】
前記前洗浄液あるいは／および後洗浄液は約４０℃〜１００℃に加熱されている請求項１に記載の金型洗浄液。
【請求項３】
電解洗浄を行う本洗浄液であって、水酸化ナトリウム、水酸化カリウム、炭酸ナトリウムから選択された１以上を含む強アルカリ成分と、ＥＤＴＡ４ナトリウム塩からなるキレート剤と、有機窒素からなる酸化物除去成分と、グルコン酸ナトリウムとを含むことを特徴とする金型洗浄液。
【請求項４】
前記有機窒素として、エチレンジアミン、ジエチレントリアミン、トリエチレンテトラミン、ペンタエチレンベキサミンから選択されるエチレンジアミン類を用い、
前記キレート剤として、ヒドロキシエチルイミノ二酢酸ナトリウム塩、ニトリロトリセテック酸ー３ナトリウム（ＮＴＡ・３Ｎａ）、ジカルボキシメチル−グルタミック酸テトラソジウムー４ナトリウム（ＧＬＤＡ・４Ｎａ）を用いている請求項３に記載の金型洗浄液。
【請求項５】
ノニオン系、カチオン系、アニオン系の界面活性剤から選択される１以上の界面活性剤を含む請求項３あるいは請求項４に記載の金型洗浄液。
【請求項６】
前記本洗浄、前洗浄あるいは／および後洗浄で用いる洗浄液に、水道水を精製手段を通して不純物を除去している水を配合している請求項１乃至請求項５のいずれか１項に記載の金型洗浄液。
【請求項７】
前記精製手段として、蒸留、イオン交換あるいは／および濾過法を採用した精製手段を用いている請求項６に記載の金型洗浄液。
【請求項８】
前記強アルカリ成分を３０〜１００ｇ／リットル、前記ＥＤＴＡ４ナトリウムを３０〜１００ｇ／リットル、グルコン酸ナトリウムを１０〜６０ｇ／リットル、有機窒素からなる酸化物除去成分を３０〜１５０ｇ／リットル配合している請求項３乃至請求項７のいずれか１項に記載の金型洗浄液。
【請求項９】
前記ノニオン系、カチオン系、アニオン系の界面活性剤から選択される１以上の界面活性剤を１〜３ｃｃ／リットル配合している請求項８に記載の金型洗浄液。
【請求項１０】
前記本洗浄に用いる洗浄液は約３０℃〜６０℃に加熱されている請求項３乃至請求項９のいずれか１項に記載の金型洗浄液。
【請求項１１】
電解洗浄の本洗浄時に請求項３乃至請求項１０のいずれか１項の記載の洗浄液を用いていることを特徴とする金型洗浄方法。
【請求項１２】
電解洗浄の本洗浄前の前洗浄あるいは／および電解洗浄の本洗浄後の後洗浄に請求項１または請求項２に記載の洗浄液を用いていることを特徴とする金型洗浄方法。
【請求項１３】
前記本洗浄に超音波洗浄を併用している請求項１１または請求項１２に記載の金型洗浄方法。
【請求項１４】
前記超音波洗浄の周波数を３０ＫＨｚ〜１００ＫＨｚの範囲としている請求項１３に記載の金型洗浄方法。
【請求項１５】
前記前洗浄液を用いた前洗浄後、本洗浄液を用いた本洗浄後、あるいは／および後洗浄液を用いた後洗浄後に、下記の（１）〜（３）のいずれかの方法で洗浄液を除去している請求項１１乃至請求項１４に記載の金型洗浄方法。
（１）清浄水による水洗いのみを行う。
（２）清浄水による水洗い後に、アルコール、エタノール、アセトン、これらと水との混合液のいずれかによるリンス洗浄を行う。
（３）水洗いをせずに、直接、アルコール、エタノール、アセトン、これらと水との混合液によるリンス洗浄を行う。
【請求項１６】
洗浄工程が下記の（１）〜（５）から選択される請求項１１乃至請求項１５に記載の金型洗浄方法。
（１）本洗浄→洗浄液除去
（２）本洗浄→洗浄液除去→防錆処理
（３）前洗浄→洗浄液除去→本洗浄→洗浄液除去→防錆処理
（４）本洗浄→洗浄液除去→後洗浄→洗浄液除去→防錆処理
（５）前洗浄→洗浄液除去→本洗浄→洗浄液除去→後洗浄→洗浄液除去→防錆処理。
【請求項１７】
前記防錆処理は、金型表面に防錆剤を塗布して行い、該防錆剤として低級アミンからなる水性防錆剤を用いている請求項１６に記載の金型洗浄方法。
【請求項１８】
前記低級アミンとしてモルホリンを用いている請求項１７に記載の金型洗浄方法。
【請求項１９】
前記前洗浄時に洗浄槽に蓋をして密閉状態として、約４０℃〜１００℃に加熱している請求項１２乃至請求項１８に記載の金型洗浄方法。
【請求項２０】
少なくとも前洗浄あるいは／および後洗浄を行う洗浄槽と、電解洗浄手段で本洗浄を行う本洗浄槽とを備え、前記前洗浄あるいは／および後洗浄の洗浄槽には請求項１または請求項２に記載の前洗浄液を供給していると共に、前記本洗浄槽には請求項３乃至請求項１０のいずれか１項に記載の本洗浄液を供給していることを特徴とする金型洗浄装置。
【請求項２１】
前記前洗浄槽には、洗浄時に前洗浄槽の上面開口を密閉する蓋を設けていると共に、該蓋で密閉した状態で前記前洗浄槽を加熱する手段を設けている請求項２０に記載の金型洗浄装置。
【請求項２２】
少なくとも電解洗浄手段と超音波洗浄手段を備えた本洗浄槽において洗浄される金型が、ニッケルメッキ金型、ニッケル合金メッキ金型、ニッケル板表面貼付金型、ニッケル合金板表面貼付金型あるいはニッケルで形成された金型からなるニッケル金型であり、
前記本洗浄槽には請求項３乃至請求項１０のいずれか１項に記載の本洗浄液を供給していることを特徴とする金型洗浄装置。
【請求項２３】
前記ニッケル金型は、フラットパネルディスプレイの導光板の射出成型用金型、レンズの射出成型用の金型、車両用リフレクタの射出成型用の金型である請求項２２に記載の金型洗浄装置。
【請求項２４】
前記本洗浄槽の電解洗浄用として用いるプラス極側の電極は、プラチナ（白金）、パラジウム、ロジウム、イリジウム、ルテニウム、オスミウム、金、銀の貴金属、あるいはこれら貴金属の合金のうちの１種または複数種の金属、あるいは前記金属でメッキされたものからなる請求項２２または請求項２３に記載の金型洗浄装置。
【請求項２５】
前記プラス極側の電極は、チタンに前記金属がメッキされたものからなる請求項２４に記載の金型洗浄装置。
【請求項２６】
前記本洗浄槽の電解洗浄用の電極に印加する電圧を２〜５Ｖの範囲としている請求項２２乃至請求項２５のいずれか１項に記載の金型洗浄装置。
【手続補正２】
【補正対象書類名】明細書
【補正対象項目名】００１５
【補正方法】変更
【補正の内容】
【００１５】
前記前洗浄液、後洗浄液からなる補助洗浄液は、本発明者が種々の成分を配合した洗浄液を調製し、これを用いて実験を繰り返した結果、前洗浄液としても界面活性剤、キレート剤および酸化物除去成分を配合すると共に、特にメタ珪酸ソータあるいは／およびオルソ珪酸ソーダを配合すると、前洗浄能力を高めることができることを知見して得られたものである。
前記キレート剤としては、ＥＤＴＡ４ナトリウム塩、カルボン酸含有ナトリウム塩等が挙げられる。前記酸化物除去成分として、有機窒素が挙げられる。
【手続補正３】
【補正対象書類名】明細書
【補正対象項目名】００１８
【補正方法】変更
【補正の内容】
【００１８】
本発明は、第２に、電解洗浄時に用いる本洗浄液として、
電解洗浄を行う本洗浄液であって、水酸化ナトリウム、水酸化カリウム、炭酸ナトリウムから選択された１以上を含む強アルカリ成分と、ＥＤＴＡ４ナトリウム塩からなるキレート剤と、有機窒素からなる酸化物除去成分と、グルコン酸ナトリウムとを含むことを特徴とする金型洗浄液を提供している。
【手続補正４】
【補正対象書類名】明細書
【補正対象項目名】００１９
【補正方法】変更
【補正の内容】
【００１９】
前記有機窒素として、エチレンジアミン、ジエチレントリアミン、トリエチレンテトラミン、ペンタエチレンベキサミンから選択されるエチレンジアミン類を用い、
前記キレート剤として、ヒドロキシエチルイミノ二酢酸ナトリウム塩、ニトリロトリセテック酸ー３ナトリウム（ＮＴＡ・３Ｎａ）、ジカルボキシメチル−グルタミック酸テトラソジウムー４ナトリウム（ＧＬＤＡ・４Ｎａ）を用いることが好ましい。
【手続補正５】
【補正対象書類名】明細書
【補正対象項目名】００２０
【補正方法】変更
【補正の内容】
【００２０】
本洗浄液は、前記したように、水酸化ナトリウム、水酸化カリウム、炭酸ナトリウムから選択された１以上を含む強アルカリ成分と、グルコン酸ナトリウムに、ＥＤＴＡ４ナトリウム塩からなるキレート剤に更に有機窒素を加えた酸化物除去成分を配合することにより、キレート剤単独で用いる場合よりも更に酸化物の除去性能を高めている。
【手続補正６】
【補正対象書類名】明細書
【補正対象項目名】００２２
【補正方法】変更
【補正の内容】
【００２２】
具体的には、前記本洗浄液は強アルカリ成分を３０〜１００ｇ／リットル、前記ＥＤＴＡ４ナトリウム塩を３０〜１００ｇ／リットル、グルコン酸ナトリウムを１０〜６０ｇ／リットル、有機窒素からなる酸化物除去成分を３０〜１５０ｇ／リットル配合することが好ましい。
また、前記ノニオン系、カチオン系、アニオン系の界面活性剤から選択される１以上の界面活性剤も配合する場合は、１〜３ｃｃ／リットル配合していることが好ましい。
前記配合量は、本発明者が実験を繰り返して知見したものである。
【手続補正７】
【補正対象書類名】明細書
【補正対象項目名】００４２
【補正方法】変更
【補正の内容】
【００４２】
また、電解洗浄を行う本洗浄液は、水酸化ナトリウム、水酸化カリウム、炭酸ナトリウムから選択された１以上を含む強アルカリ成分と、ＥＤＴＡ４ナトリウム塩からなるキレート剤と、有機窒素からなる酸化物除去成分と、グルコン酸ナトリウムとを含む水を用い、該水は精製手段で精製した水として、水道水に含まれるシリカやカルシウムなどの異物を除去している。そのため、該電解洗浄液で洗浄する金型が、精密部品成形用のニッケル金型である場合、１０００〜１００００倍の電子顕微鏡で観察しても異物が付着されていない優れた洗浄力で洗浄することができる。
よって、フラットパネルディスプレイの導光板、レンズ、自動車のリフレクタ等を成形するためのニッケル金型を洗浄する場合に、その洗浄能力が高いことにより、効果的に用いることができる。
【手続補正８】
【補正対象書類名】明細書
【補正対象項目名】００４９
【補正方法】変更
【補正の内容】
【００４９】
本洗浄液Ｑ２（即ち、電解洗浄液）は、水酸化ナトリウム、水酸化カリウム、炭酸ナトリウムから選択された１以上を含む強アルカリ成分と、ＥＤＴＡ４ナトリウム塩からなるキレート剤と、有機窒素からなる酸化物除去成分と、グルコン酸ナトリウムと、ノニオン系、カチオン系、アニオン系の界面活性剤から選択される１以上の界面活性剤を、水道水を精製手段で精製した純水に配合している。
そのさい、配合量は、強アルカリ成分を３０〜１００ｇ／リットル、ＥＤＴＡ４ナトリウム塩を３０〜１００ｇ／リットル、グルコン酸ナトリウムを１０〜６０ｇ／リットル、前記酸化物除去成分を３０〜１５０ｇ／リットル、前記ノニオン系、カチオン系、アニオン系の界面活性剤から選択される１以上の界面活性剤を１〜３ｃｃ／リットルとし、残りを純水として、配合している。